(57)【要約】      （修正有）【課題】飲料容器及び循環ポンプが不要であり、小型かつ軽量で携帯が可能な携帯型水素水生成器を提供する。【解決手段】携帯型水素水生成器１０は、電気分解により水素水を生成する水素水生成部を備える本体２０と、本体２０に着脱可能であるボトルタンク３０と、ボトルタンク３０に着脱可能であるキャップ４０と、を含み、本体２０に、水素水生成部を駆動するためのバッテリーと電源ボタン２３を備え、本体２０に、ボトルタンク３０を装着して飲料水を充填し、ボトルタンク３０に、キャップ４０を装着した状態で、電源ボタン２３の操作により、水素水生成部を所定時間駆動して電気分解により水素水を生成する。【選択図】図１
0003228324.tif 000002
【実用新案登録請求の範囲】
【請求項１】
電気分解により水素水を生成する水素水生成部を備える本体と、
前記本体に着脱可能であるボトルタンクと、
前記ボトルタンクに着脱可能であるキャップと、を含み、
前記本体に、
前記水素水生成部を駆動するためのバッテリーと電源ボタンを備え、
前記本体に、前記ボトルタンクを装着して飲料水を充填し、
前記ボトルタンクに、前記キャップを装着した状態で、
前記電源ボタンの操作により、前記水素水生成部を所定時間駆動して電気分解により水素水を生成することを特徴とする携帯型水素水生成器。
【請求項２】
前記水素水生成部は、
プラチメッキナチタン電解膜を備えることを特徴とする請求項１に記載の携帯型水素水生成器。
【請求項３】
前記本体は、
ＬＥＤランプを備え、
前記ＬＥＤランプは、
前記電源ボタンの操作で点灯し、
前記水素水生成部の駆動停止に連動して消灯することを特徴とする請求項１または請求項２に記載の携帯型水素水生成器。
【請求項４】
前記本体は、
載置面に、シリコン滑り止めパットを有することを請求項１乃至請求項３のいずれか１項に記載の携帯型水素水生成器。
【請求項５】
市販の飲料水を充満したペットボトルを、前記本体に接続するペットボトルアダプタを含み、
前記ペットボトルアダプタにより前記ペットボトルを接続した状態で、電気分解により水素水を生成することを請求項１乃至請求項４のいずれか１項に記載の携帯型水素水生成器。
【考案の詳細な説明】
【技術分野】
【０００１】
この考案は、携帯型水素水生成器に係り、特に、飲料容器及び循環ポンプが不要であり、小型かつ軽量で携帯が可能な携帯型水素水生成器に関する。
【背景技術】
【０００２】
日常飲用している水道水には、浄水場で殺菌用に加えられた塩素のため水の味を悪くし、さらには残留塩素と水中の有機物が化合してトリハリメタン等の人体に悪影響を及ぼす物質が含まれている可能性がある。そのため、従来より、浄水器を用いて浄水の対象である水道水を取り入れ、カーボンフィルタ等により塩素、悪臭ガス等の汚染物質を除去することがある。
【０００３】
一方、水の改質方法として、電極間の水に電流を流し、水を電気分解してこの水の酸化還元電位を下げた還元水を作る電解器が知られている。電極に交流を印加すると、各電極では水素ガスと酸素ガスが交互に発生し、また、電極で発生する酸素は大気中に放出され溶存酸素量が増加する。一方、反応によって生じた水素は過飽和に液中に溶け込み、この結果、酸化体である酸素に比べて還元体である水素が増加し酸化還元電位が低下するものと考えられている。従来、浄水器と電解器とは、各々、別々の容器を用いていた（特許文献１）。
【０００４】
また、従来の水素水生成装置は、その一例として、底部周辺に蛇口を有する飲料容器と、飲料容器と別個に設けられており直立する陽極板及び陰極板を有する電解槽と、飲料容器及び電解槽を連通する循環流路と、循環流路に流れる流体を強制循環させる循環ポンプと、循環流路の端部に設置されており発生ガス（発生ガスとは、飲料水の電気分解の場合、水素ガス及び酸素ガスの混合ガスをいう。）の気泡径を微細化する微泡化セラミックと、を備えるものがある（特許文献２）。
【先行技術文献】
【特許文献】
【０００５】
【特許文献１】特開２００４−４９９４６公報
【特許文献２】特開２０１２−８６１９３号公報
【考案の概要】
【考案が解決しようとする課題】
【０００６】
このように、日常飲用している水道水を改質して引用する方法や水素水生成装置が種々提案されているが、浄水器と電解器とは、各々、別々の容器を用いていたり、飲料容器及び電解槽を連通する循環流路が必要であり、かつ重量もあり、携帯には適さないなどの問題があった。
【０００７】
この考案は、かかる点に鑑みてなされたもので、飲料容器及び循環ポンプが不要であり、小型かつ軽量で携帯が可能な携帯型水素水生成器を提供することを目的とする。
【課題を解決するための手段】
【０００８】
かかる課題を解決するために、この考案は、以下のように構成した。
【０００９】
請求項１に記載の考案は、電気分解により水素水を生成する水素水生成部を備える本体と、
前記本体に着脱可能であるボトルタンクと、  前記ボトルタンクに着脱可能であるキャップと、を含み、
前記本体に、
前記水素水生成部を駆動するためのバッテリーと電源ボタンを備え、
前記本体に、前記ボトルタンクを装着して飲料水を充填し、
前記ボトルタンクに、前記キャップを装着した状態で、
前記電源ボタンの操作により、前記水素水生成部を所定時間駆動して電気分解により水素水を生成することを特徴とする携帯型水素水生成器である。
【００１０】
請求項２に記載の考案は、前記水素水生成部は、
プラチナメッキチタン電解膜を備えることを特徴とする請求項１に記載の携帯型水素水生成器である。
【００１１】
請求項３に記載の考案は、前記本体は、
ＬＥＤランプを備え、
前記ＬＥＤランプは、
前記電源ボタンの操作で点灯し、
前記水素水生成部の駆動停止に連動して消灯することを特徴とする請求項１または請求項２に記載の携帯型水素水生成器である。
【００１２】
請求項４に記載の考案は、前記本体は、
載置面に、シリコン滑り止めパットを有することを請求項１乃至請求項３のいずれか１項に記載の携帯型水素水生成器である。
【００１３】
請求項５に記載の考案は、市販の飲料水を充満したペットボトルを、前記本体に接続するペットボトルアダプタを含み、
前記ペットボトルアダプタにより前記ペットボトルを接続した状態で、電気分解により水素水を生成することを請求項１乃至請求項４のいずれか１項に記載の携帯型水素水生成器である。
【考案の効果】
【００１４】
前記構成により、この考案は、以下のような効果を有する。
【００１５】
請求項１乃至請求項５に記載の考案では、電気分解により水素水を生成する水素水生成部を備える本体と、本体に着脱可能であるボトルタンクと、ボトルタンクに着脱可能であるキャップと、を含み、本体に、水素水生成部を駆動するためのバッテリーと電源ボタンを備え、本体に、ボトルタンクを装着して飲料水を充填し、ボトルタンクに、キャップを装着した状態で、電源ボタンの操作により、水素水生成部を所定時間駆動して電気分解により水素水を生成することで、飲料容器及び循環ポンプが不要であり、小型かつ軽量で携帯が可能である。
【図面の簡単な説明】
【００１６】
【図１】携帯型水素水生成器の斜視図である。
【図２】携帯型水素水生成器の構成部品図である。
【図３】携帯型水素水生成器の構成図である。
【図４】携帯型水素水生成器の使用を説明する図である。
【図５】ペットボトルに使用を示す図である。
【考案を実施するための形態】
【００１７】
以下、この考案の携帯型水素水生成器の実施の形態について説明する。この考案の実施の形態は、考案の最も好ましい形態を示すものであり、この考案はこれに限定されない。      
【００１８】
（携帯型水素水生成器の構成）
この実施の形態の携帯型水素水生成器を、図１乃至図７に基づいて説明する。図１は携帯型水素水生成器の斜視図、図２は携帯型水素水生成器の構成部品図、図３は携帯型水素水生成器の構成図、図４は携帯型水素水生成器の使用を説明する図、図５はペットボトルに使用を示す図である。
【００１９】
この実施の形態の携帯型水素水生成器１０は、電気分解により水素水を生成する水素水生成部２１を備える本体２０と、本体２０に着脱可能であるボトルタンク３０と、ボトルタンク３０に着脱可能であるキャップ４０と、を含む構成であり、本体重量は、例えば、２８０ｇ程度で、小型かつ軽量で携帯が可能である。本体２０及びキャップ４０は、例えばＡＢＳ樹脂で成形され、ボトルタンク３０は、例えばポリプロピレンで成形され、透明である。
【００２０】
本体２０は、載置面に、シリコン滑り止めパット５０を有し、このシリコン滑り止めパット５０により、携帯型水素水生成器１０の載置状態が安定する。
【００２１】
本体２０は、水素水生成部２１を駆動するためのバッテリー２２と、電源ボタン２３と、駆動状態を示すＬＥＤランプ２４を備える。バッテリー２２は、充電器５０を介して商用電源５１に接続され、電源としては、ＵＳＢ電源を用い、例えば５Ｖ  ０．５〜０．７Ａである。
【００２２】
水素水生成部２１は、電気分解により水素水を生成する構成であり、プラチナメッキチタン電解膜２５を備え、飲料水のミネラルウォーターから水素水を生成するが、飲料水は、ミネラルウォーターに限定されない。プラチナメッキチタン電解膜２５は、チタンにプラチナメッキ加工して構成される電解膜である。
【００２３】
水素水生成部２１は、制御部２８を備える。この制御部２８は、電源ボタン２３の入力によって、タイマー２９を設定し、タイマー２９によって設定された時間、水素水生成部２１とＬＥＤランプ２４を駆動する。このように、ＬＥＤランプ２４は、電源ボタン２３の操作で点灯し、水素水生成部２１の駆動停止に連動して消灯する構成である。
【００２４】
ＬＥＤランプ２４は、３個用いており、水素水を生成する間、ＬＥＤランプ２４が、例えばピンク色、オレンジ色、青色の３色に光り、生成中水素による泡を綺麗に彩る。この色のグラデーションは、リラックス効果を与えてくれ、水素生成中も癒し効果を得ることができる。このＬＥＤランプ２４のピンク色、オレンジ色、青色の３色の光りや、生成中水素による泡の状態は、ボトルタンク３０が透明であることで、外部から視認可能である。
【００２５】
この実施の形態の携帯型水素水生成器１０では、容量は、例えば約３００ｍｌであり、水素水生成部２１により水素水を生成する時間は、例えば約５分である。生成水素濃度は、例えば５分の生成において、約１０００〜１２００ｐｐｂである。
【００２６】
（携帯型水素水生成器の使用）
［水素水の生成］
この実施の形態の携帯型水素水生成器１０では、本体２０にボトルタンク３０を取付け、ボトルタンク３０に飲料水のミネラルウォーターを充填する（図４（ａ））。ボトルタンク３０に、所定量のミネラルウォーターを充填した状態で、ボトルタンク３０の上部を、キャップ４０で蓋をする。
【００２７】
ボトルタンク３０に、キャップ４０を装着した状態で、電源ボタン２３を操作すると、電源ボタン２３の入力によって、タイマー２９が設定され、タイマー２９によって設定された時間、水素水生成部２１とＬＥＤランプ２４が駆動する。この水素水生成部２１の駆動によって、電気分解により水素水が生成され、タイマー２９で設定された時間が経過すると、水素水生成部２１の駆動停止し、ＬＥＤランプ２４が連動して消灯する（図４（ｂ））。
【００２８】
［水素水の飲用］
このように、ＬＥＤランプ２４は、電源ボタン２３の操作で点灯し、水素水生成部２１の駆動停止に連動して消灯する構成であり、需要者は、ＬＥＤランプ２４の消灯によって水素水の生成終了を知り、ボトルタンク３０からキャップ４０を取り外して水素水を飲むことができる（図４（ｃ））。
【００２９】
水素水を飲用することで、水素が小さい分子であり、身体の細胞膜を通過することができるため、身体のいたる所に到達する。水素は、溶解度が大きく、浸透力が良いため、身体にも吸収しやすい。
【００３０】
そして、水素は、活性酸素である善玉活性酸素と結合し、病気の原因となる悪玉活性酸素を排除する効果がある。この水素は、酸化力の強い悪玉活性酸素と反応し、無害な水となって排出される。
【００３１】
また、水素は、抗酸化作用があるため、新陳代謝を促進する効果もあり、結果として、水素水の摂取により健康の維持に繋がる。
【００３２】
［市販の飲料水の飲料］
この実施の形態の携帯型水素水生成器１０は、ペットボトルアダプタ８０を含む。ペットボトルアダプタ８０は、本体２０に接続する接続部８０ａと、市販の飲料水を充満したペットボトル８１が接続する接続部８０ｂを有する。ペットボトルアダプタ８０は、例えばポリプロピレンで成形される。
【００３３】
ペットボトルアダプタ８０の接続部８０ａを、本体２０に接続し、接続部８０ｂに市販の飲料水を充満したペットボトル８１を接続し、この状態で、電源ボタン２３を操作すると、電源ボタン２３の入力によって、タイマー２９が設定され、タイマー２９によって設定された時間、水素水生成部２１とＬＥＤランプ２４が駆動する。この水素水生成部２１の駆動によって、電気分解により水素水が生成され、タイマー２９で設定された時間が経過すると、水素水生成部２１の駆動停止し、ＬＥＤランプ２４が連動して消灯する。
【００３４】
このように、需要者は、ＬＥＤランプ２４の消灯によって水素水の生成終了を知り、ペットボトルアダプタ８０からペットボトル８１を取り外すと、ペットボトル８１の飲料水が水素水となり、ペットボトル８１を利用した簡易な方法で水素水を飲料することができる（図５）。
【００３５】
（携帯型水素水生成器の使用後）
この実施の形態の携帯型水素水生成器１０は、例えば１日使用した後は、すすいで乾燥させるが、使用頻度に応じて、分解し、洗浄する。
【００３６】
［分解］
この実施の形態の携帯型水素水生成器１０の分解は、使用時において、ボトルタンク３０にキャップ４０をして閉じているが、使用後においては、ボトルタンク３０を固定してキャップ４０を回して取り外す。次に、本体２０を固定してボトルタンク３０を回して取り外す。
【００３７】
［洗浄］
取り外した本体２０、ボトルタンク３０及びキャップ４０を水洗いする。そして、洗い終わった本体２０、ボトルタンク３０及びキャップ４０は、渇いた布で水気を拭き取り、風通しの良い場所で乾燥させる。
【産業上の利用可能性】
【００３８】
この考案は、特に、飲料容器及び循環ポンプが不要であり、小型かつ軽量で携帯が可能な携帯型水素水生成器に適用でき、飲料容器及び循環ポンプが不要であり、小型かつ軽量で携帯が可能である。
【符号の説明】
【００３９】
１０  携帯型水素水生成器
２０  本体
２１  水素水生成部
２２  バッテリー
２３  電源ボタン
２４  ＬＥＤランプ
２５  プラチナメッキチタン電解膜
２８  制御部
２９  タイマー
３０  ボトルタンク
４０  キャップ
５０  シリコン滑り止めパット
８０  ペットボトルアダプタ
８１  ペットボトル
【図１】
0003228324.tif 000003
【図２】
0003228324.tif 000004
【図３】
0003228324.tif 000005
【図４】
0003228324.tif 000006
【図５】
0003228324.tif 000007